(57)【要約】【課題】充分な潤滑油を供給してカムシャフトの焼きつき防止を図ることができる燃料供給ポンプを提供すること。【解決手段】燃料供給ポンプは、ハウジングに回転可能に支持されたカムシャフト１４と、カムシャフト１４のカム部１４２の周りでカム部１４２と回転自在に支持されるカムリング１５とを有し、カムシャフト１４のカム部１４２の軸方向の位置決めをするために、カム部１４２端面とハウジングとの間にワッシャ部材２０を配置する。カムシャフト１４のカム部１４２とカムリングとの間にはブッシュ２１を介在している。カムリング１５の軸方向端面１５２に、カム室１３からカム部１４２とブッシュ２１との間の嵌合隙間に潤滑油の通る油溝１５３を形成してカム部１４２の周りに充分な潤滑油を供給する。【選択図】図２
2005171968.tif 000002
【特許請求の範囲】
【請求項１】
燃料タンクと燃料噴射装置との間に配置され、潤滑油が送給されるカム室と、前記カム室内を回動するカム部を有するカムシャフトと、前記カムシャフトに回動自在に連結されるカムリングと、前記カムシャフトを回動可能に収納するとともに前記カム室を内蔵するハウジングと、を備えて、前記燃料タンクから送給された燃料を、前記燃料噴射装置側に送給する燃料供給ポンプであって、
前記カムリングの軸方向端部に、前記カム部と前記カムリングの隙間部に前記カム室からの潤滑油を連通可能な油溝が形成されていることを特徴とする燃料供給ポンプ。
【請求項２】
前記カム部と前記カムリングとの間には前記カム部に外嵌するブッシュが配置され、前記油溝が、前記カム室から前記カム部と前記ブッシュ間に形成される嵌合隙間内に導入されることを特徴とする請求項１記載の燃料供給ポンプ。
【請求項３】
燃料タンクと燃料噴射装置との間に配置され、潤滑油が送給されるカム室と、前記カム室内を回動するカム部を有するカムシャフトと、前記カムシャフトに回動自在に連結されるカムリングと、前記カムシャフトを回動可能に収納するとともに前記カム室を内蔵するハウジングと、を備えて、前記燃料タンクから送給された燃料を、前記燃料噴射装置側に送給する燃料供給ポンプであって、
前記ハウジングにおける前記カム部材の両端部と対向する面には、前記カム部と前記カムリングの隙間部に前記カム室からの潤滑油を連通可能な油溝が形成されていることを特徴とする燃料供給ポンプ。
【請求項４】
燃料タンクと燃料噴射装置との間に配置され、潤滑油が送給されるカム室と、前記カム室内を回動するカム部を有するカムシャフトと、前記カムシャフトに回動自在に連結されるカムリングと、前記カムシャフトを回動可能に収納するとともに前記カム室を内蔵するハウジングと、を備えて、前記燃料タンクから送給された燃料を、前記燃料噴射装置側に送給する燃料供給ポンプであって、
前記ハウジングにおける前記カム部材の両端部と対向する面と前記カム部との間には、前記カムシャフトのスラスト方向を位置決めするワッシャ部材が配置され、
前記ワッシャ部材には、前記カム部と前記カムリングの隙間部に前記カム室からの潤滑油を連通可能な油溝が形成されていることを特徴とする燃料供給ポンプ。                                                                               
【発明の詳細な説明】
【技術分野】
【０００１】
本発明は燃料タンクと燃料噴射装置との間に配置して高圧の燃料を燃料噴射装置側に送給する蓄圧式（コモンレール式）燃料噴射装置に適用する燃料供給ポンプに関する。
【背景技術】
【０００２】
燃料供給ポンプは、燃料タンクから送給された燃料を、圧縮して高圧となった燃料を燃料噴射装置側に圧送するように構成されている。従来の燃料供給ポンプは、例えば、特許文献１に示すものが知られている。これによると、燃料供給ポンプ５０は、図６に示すように、ハウジング５１内に回動可能に配置されてカム部５４２を有するカムシャフト５４と、カム部５４２の外周にカム部５４２に対して回動自在に配置され上下方向に往復移動するカムリング５５と、カムリング５５に連接されカムリング５５の上下方向の移動によってカムリング５５に追随して上下方向に往復移動するプランジャ５６とを備えて構成されている。プランジャ５６におけるカムリング５５との連接部に対する反対側端部は、高圧燃料が導入される圧力室５２に挿入され、プランジャ５２の上死点位置に到達することによって圧力室５２に導入された燃料を加圧して、高圧となった燃料を燃料噴射装置側に圧送するように構成されている。
【０００３】
また、カム部５４２の外周面には油溝５４３が形成され、カム室５３に流入される低圧の燃料を潤滑油としてカム部５４２に形成された油溝５４３に導入してカム部５４２外周面全体に潤滑油を行き渡らせている。そして、これによって、カム部５４２とカムリング５５との間の焼きつき防止を図るように構成されている。
【特許文献１】特開２００２−３１００３９公報（２〜４頁、図１参照）
【発明の開示】
【発明が解決しようとする課題】
【０００４】
しかし、従来の燃料供給ポンプ５０では、カムリング５５の軸方向の端面とその対向する部材の面との間、つまりカムシャフト５４の軸方向に対する位置決めのために、カムリング５５端面とハウジング５１のカム部５４２端面と対向する面、あるいは、ハウジング５１のカム部５４２端面と対向する面にワッシャ部材６０が介在されているものにおいては、カムリング５５端面とワッシャ部材６０の対向面、との間のクリアランスが極めて僅かに形成されている。このクリアランスが小さいと、カム室５３から導入する潤滑油の量が少なく、カム部５４２外周面全体に行きわたらないことがあり、その場合、焼きつきの要因となって、燃料供給ポンプ５０自体を損傷させる結果となっていた。
【課題を解決するための手段】
【０００５】
本発明は、上述の課題を解決するものであり、カム室から導入する潤滑油を充分にして、カムシャフトの回動による焼きつきを完全に防止できる燃料供給ポンプ提供することを目的とし、その目的を達成するために、本発明に係る燃料供給ポンプは、以下のように構成するものである。すなわち、
請求項１記載の発明では、カム部に対して回動可能に配置されたカムリングの軸方向端面に、カム部とカムリングとの隙間部にカム室から導入する潤滑油の油溝を形成するものである。つまり、燃料タンクから低圧用の潤滑油としてカム室内に導入された燃料は、カムリングの端面に形成された油溝内に流入する。
【０００６】
カムリングに形成された油溝は、カムリングの軸方向を位置決めするためにカムリングの軸方向端面に形成されたクリアランスに対して、かなり大きく形成されていることから、カム室から油溝を通って流入する潤滑油は充分な量をカムシャフトのカム部外周面に供給することとなる。カム部の外周面には回動するための僅かな嵌合隙間が形成されていることから、油溝に供給された潤滑油はカムシャフトの回転によりカム部によって運ばれてカムの外周面全体に行きわたることとなる。従って、カム部の周りで焼きつく虞れがなく、燃料供給ポンプ自体を保護することができる。
【０００７】
請求項２記載の発明では、カム部の外周面とカムリングの内周面にはブッシュが介在され、カム部の外周面はブッシュの内周面に摺動可能に嵌合され、その間に嵌合隙間を形成している。従って、カム室から供給される潤滑油は、カムリング端面に形成された油溝を通って、カム部とブッシュとの嵌合隙間内に流入する。
【０００８】
カムリングに形成された油溝は、カムリングの軸方向の位置決めをするためにカムリングの軸方向端面に形成されたクリアランスに対して、かなり大きく形成されていることから、カム室から油溝を通って流入する潤滑油は充分な量をカムシャフトのカム部外周面に供給することとなる。カム部の外周面には回動するための僅かな嵌合隙間が形成されていることから、油溝に供給された潤滑油はカムシャフトの回転によりカム部によって運ばれてカムの外周面全体に行きわたることとなる。従って、カム部の周りで焼きつく虞れがなく、燃料供給ポンプ自体を保護することができる。
【０００９】
請求項３記載の発明では、カム部に対して回動可能に配置されたカムリングの軸方向端面と対向するハウジングの面に、カム部とカムリングとの隙間部にカム室から導入する潤滑油の油溝を形成するものである。つまり、燃料タンクから低圧用の潤滑油としてカム室内に導入された燃料は、ハウジングにおけるカムリング端面との対向面に形成された油溝内に流入する。
【００１０】
ハウジングに形成された油溝は、カムリングの軸方向端面とハウジングとの間に形成されたクリアランスに対して、かなり大きく形成されていることから、カム室から油溝を通って流入する潤滑油は充分な量をカムシャフトのカム部外周面に供給することとなる。カム部の外周面には回動するための僅かな嵌合隙間が形成されていることから、油溝に供給された潤滑油はカムシャフトの回転によりカム部によって運ばれてカムの外周面全体に行きわたることとなる。従って、カム部の周りで焼きつく虞れがなく、燃料供給ポンプ自体を保護することができる。
【００１１】
請求項４記載の発明では、カム部に対して回動可能に配置されたカムリングの軸方向端面と、カムリングの軸方向端面と対向するハウジングの面との間には、カムシャフトの軸方向を位置決めするためのワッシャ部材が介在されている。そしてそのワッシャ部材のカムリング端面との対向面に、カム部とカムリングとの隙間部にカム室から導入する潤滑油の油溝を形成するものである。つまり、燃料タンクから低圧用の潤滑油としてカム室内に導入された燃料は、ワッシャ部材におけるカムリング端面との対向面に形成された油溝内に流入する。
【００１２】
ワッシャ部材に形成された油溝は、カムリングの軸方向端面とワッシャ部材との間に形成されたクリアランスに対して、かなり大きく形成されていることから、カム室から油溝を通って流入する潤滑油は充分な量をカムシャフトのカム部外周面に供給することとなる。カム部の外周面には回動するための僅かな嵌合隙間が形成されていることから、油溝に供給された潤滑油はカムシャフトの回転によりカム部によって運ばれてカムの外周面全体に行きわたることとなる。従って、カム部の周りで焼きつく虞れがなく、燃料供給ポンプ自体を保護することができる。
【発明を実施するための最良の形態】
【００１３】
本発明の一実施形態を図面に基づいて説明する。実施形態の燃料供給ポンプは、コモンレール式燃料噴射装置内に配置される燃料供給ポンプ（以下、サプライポンプという。）で説明するものであり、燃料タンクから燃料を供給して高圧の燃料を、コモンレールを介して燃料噴射装置に圧送するように構成されている。勿論他の形式の燃料供給ポンプでも適用できるものである。
【実施例１】
【００１４】
図１は、サプライポンプ１の断面を示すものであり、カムシャフト１４を回転可能に支持する第１のハウジング１１１と、圧力室１２を有する複数の第２のハウジング１１２と、第１のハウジング１１１に固着するとともに第１のハウジング１１１と第２のハウジング１１２との間でカム室１３を形成する第３のハウジング１１３と、を備えてハウジング１１が構成されている。
【００１５】
カムシャフト１４は、第１のハウジング１１１に支持される軸部１４１と軸部１４１の回転中心に対して偏心した位置を中心にして回転するカム部１４２とを有して形成され、カム部１４２の周りには、カム部１４２に回転自在に支持されるカムリング１５とカムリング１５に追随して往復移動可能なプランジャ１６と、が配置されている。また、カムシャフト１４の一端に、図示しないエンジンのクランクシャフトにベルト等の伝達部材を介して連結する図示しないプーリを取付け、他端に、カムシャフト１４とともに回転するフィードポンプ１７を装着している。
【００１６】
なお、第２のハウジング１１２は、設置するプランジャ１６の数によって定められ、実施例１においては、２本のプランジャ１６で構成することから、第２のハウジング１１２は２個設置されることとなる。
【００１７】
また、図例において、以下の説明の便宜上、フィードポンプ１７を、紙面に対して９０度回転させた状態（側面図）で示している。つまり本来は、フィードポンプ１７の回転中心となる軸部がカムシャフト１４の破断線で示す軸部１４２の延長線上にあり正面断面図として示されるものであるが、燃料の流れを説明するため、フィードポンプ１７、及びその周りの部位を側面状態で示すことにしている。
【００１８】
さらに、カムシャフト１４は、第１のハウジング１１１に軸受１８によって回転可能に支持されるとともに、一方の軸部１４２には軸受１８と並設するように第１のハウジング１１１との間でオイルシール１９が装着され、カム部１４２の軸方向端面が、カムシャフト１４の軸方向を位置決めするために、それぞれ第１のハウジング１１１、第３のハウジング１１３との間に配置されたワッシャ部材２０、２０で規制されている。ワッシャ部材２０は、カム部１４２の両端部でカムシャフト１４の軸部１４２・１４２に遊嵌状態で配置されるとともに、カム部１４２との隙間を油が通る程度に形成できるように配置される。
【００１９】
カムリング１５はカムシャフト１４のカム部１４２を挿通する孔部１５１を有して矩形板状に形成されるとともに、カム部１４２との間にブッシュ２１を介在させてカム部１４２の外周面に対して回転自在に嵌合されている。そして、図例において、カムリング１５の上下両面には、プランジャ１６が面接触によって接続されている。
【００２０】
プランジャ１６は、一端に前述のカムリング１５と面接触によって接続する面受け部１６１を有し、他端に圧力室に挿入するピン部１６２を形成している。そして、プランジャ１６は、常時、プランジャ１６の周り（第２のハウジング１１２の周り）に外装されたコイルばね２２によって、カムリング１５側に付勢されている。そして、カムシャフト１４の回転によりカム部１４２が回転するとカムリング１４が上下方向に沿って往復移動することによりプランジャ１６がカムリング１５に追随されて圧力室１２に導入された低圧の燃料を加圧することとなる。
【００２１】
フィードポンプ１７は、第３のハウジング１１３内に回転可能に支持されるとともに、インナーロータ１７１、アウターロータ１７２を有して、インレット（供給口）２５からフィルタ２６を通って導入側通路２７に導入された燃料を、導出側通路２８を介して流量調整弁２９に送るように構成されている。流量調整弁２９は循環通路３０を介して、圧力室１２とカム室１３に接続される。
【００２２】
圧力室１２に接続して燃料排出口（アウトレット）３１が配置されるとともに、カム室１３には、リーク弁３２が接続して配置されている。そして、送り込まれた燃料は、圧力室１２で加圧され図示しない燃料噴射装置側に送り込まれることとなり、カム室１３に送り込まれた燃料は、潤滑油としてカムシャフト１４の回転部位の潤滑として送り出されることとなる。
【００２３】
カム室１３に貯溜された燃料（潤滑油）は、回転摺動部、つまりカムシャフト１４のカム部１４２とブッシュ２１との間の嵌合隙間への潤滑のために充分な潤滑油を送ることとなる。なお、ブッシュ２１が介在しないものについては、カム部１４２の外周面とカムリング１５の内周面との間の嵌合隙間に送って潤滑することとなる。以下の説明は、ブッシュ２１を介在しているものについて説明する。
【００２４】
カム室１３からカム部１４２への給油経路は、実施例１においては、図２〜３に示すように、カムリング１５の軸方向の端面１５２側に潤滑油を通す油溝１５３を形成する。油溝１５３は、図３に示すように、ワッシャ部材２０と対向する一方の面においてカム部１４２を挿通する孔部１５１の中心に対して十字状に形成する。つまり、側面視矩形状に形成されたカムリング１５の一方の端面において、カムリング１５の外周面から孔部１５の中心部に向かって直線状の溝を形成する。さらに、カムシャフト１４のカム部１４２の外周面の軸方向には、一部に軸心に沿って傾斜した油溝１４３を形成する。
【００２５】
なお、油溝１５３は、カムリング１５の外周面から孔部１５１に向かって形成されているものであれば、孔部の中心位置に向かうものではなくてもよく、また直線状でなく湾曲状あるいはジグザグ状に形成されていてもよい。油溝１５３を通る潤滑油の量は、カムリング１５の軸方向の端面１５２とワッシャ部材２０との間に形成される隙間を通る潤滑油に比べて極めて多い。
【００２６】
カムリング１５とカム部１４２との間には、ブッシュ２１が介在される。通常ブッシュ２１はカムリング１５の内周面に圧入されていることから、潤滑油は、カム部１４２の外周面とブッシュ２１の内周面との隙間部に供給されることとなり、カムシャフト１４の回転によりカム部１４２の外周面とブッシュ２１の内周面との隙間部からカム部１４２の外周面に形成された油溝１４３に送られてカム部１４２外周面全面に供給されることとなる。
【００２７】
次に、上記のように構成された燃料供給ポンプ１の作用について説明する。
【００２８】
上述のように、燃料供給ポンプ１は、図示しない燃料タンクと図示しない燃料噴射装置との間に配置され、詳細に言えば、図示しない蓄圧式の燃料分配装置としてのコモンレールに高圧の燃料を圧送するように構成されて配置されている。
【００２９】
燃料タンクから送られた燃料は、燃料供給ポンプ１のインレット２５から供給される。インレット２５から供給された燃料は、フィルタ２６でゴミや塵埃を除去されて導入側通路２７に移動され、導入側通路２７からフィードポンプ１７内に導入される。
【００３０】
フィードポンプ１７内では、インナーロータ１７１とアウターロータ１７２との間の空隙部に導入側通路２７から導入された燃料が流入されると、インナーロータ１７１とアウターロータ１７２との回転により空隙部に入った燃料が移動して導出側通路２８に送られる。
【００３１】
導出側通路２８に送られた燃料は、流量調整弁２９に流入すると所定の流量に制御されて低圧油として送り出される。そして循環通路３０を通って、一方で各第２のハウジング１１２内の圧力室１２に、他方でカム室１３に供給される。
【００３２】
圧力室１２に導入された低圧の燃料は、カムシャフト１４の回転により、カムリング１５に追随されたプランジャ１６の往復移動により加圧されて高圧となってアウトレット３１から図示しないコモンレールに圧送され、さらに燃料噴射装置に送られる。
【００３３】
また、カム室１３に送られた低圧の燃料は、潤滑油としてカムシャフト１４の回転摺動部に導入されて回転部位を潤滑する。つまり、カム室１３に貯溜された潤滑油は、カムリング１５の軸方向端面１５２に形成された油溝１５３を通ってカムシャフト１４のカム部１４２の外周面とブッシュ２１の内周面との間に形成される嵌合隙間内に導入されるとともに、一部の潤滑油はカムシャフト１４の軸部１４１の外周面に送られて、カムシャフト１４の軸部１４１の外周面とブッシュ１８との間の嵌合隙間内に送られ軸部１４１の周りの潤滑を良好にする。
【００３４】
そして、カム部１４２とブッシュ２１との間の嵌合隙間からカム部１４２に形成された油溝１４３に流れると、カム部１４２の回転により、カム部１４２の外周面全面に流れて、カム部１４２の周りに十分な潤滑をすることができる。
【００３５】
上述のように、実施例１の燃料供給ポンプでは、カムシャフト１４のカム部１４２に嵌合されてカム部１４２に対して回転自在に配置されているカムリング１５の軸方向端面１５２に、カム室１３からカム部１４２とブッシュ２１との間の嵌合隙間に向かって油溝１５３を形成することから、カム部１４２の周りに充分な潤滑油を供給することができ、そのためにカム部１４２の周りで焼きつきを起こしにくくなって、燃料供給ポンプ１の耐久性を向上することができる。
【実施例２】
【００３６】
図４〜５は、カム室１３から送給する潤滑油経路を、ワッシャ部材２０に形成した油溝で実施する実施例として示すものである。
【００３７】
これによると、ワッシャ部材２０には、中心部にカムシャフト１４の軸部１４１に挿通される孔部２０１が形成されている。そして、ワッシャ部材２０をカムシャフト１４の軸部１４１に装着する際に、ワッシャ部材２０におけるカムリング１５又はカム部１４２の軸方向端面と対向する面２０２に、中心軸に対して十字状の油溝２０３を形成する。ワッシャ部材２０に油溝２０３を形成するものであれば、実施例１で示したカムリング１５の軸方向端面１５２に形成する油溝１５３を特に形成する必要はないが、勿論形成したままであってもよい。
【００３８】
カム室１３に貯溜されている潤滑油は、ワッシャ部材２０の油溝２０３を通って、前述と同様にカムシャフト１４のカム部１４２の外周面とブッシュ２１の内周面との嵌合隙間内に導入され、カム部１４２の油溝１４３に送られることとなる。そして、カム部１４２の回転により油溝１４３内の潤滑油はカム部１４２の外周面全体に行きわたって、潤滑性を向上することができる。
【００３９】
また、ワッシャ部材２０がカムシャフト１４の軸部１４１に装着されていない場合、つまり、カムシャフト１４の軸方向の位置決めをワッシャ部材２０で行なわない場合は、第１のハウジング１１１におけるカム部１４２の軸方向端面と対向する面、及び第３のハウジング１１３におけるカム部１４２の軸方向端面と対向する面に、前述のワッシャ部材２０に形成した油溝２０３のように十字状の油溝を形成することとなる。
【００４０】
上述のように、カムシャフト１４のカム部１４２の外周面とブッシュ２１の内周面との嵌合隙間に充分な潤滑油を供給する場合には、カムリング１５の軸方向端面１５２と、ワッシャ部材２０又はハウジング１１との間の隙間部に、カムリング１５あるいはワッシャ部材２０又はハウジング１１のいずれかの側に、カムシャフト１４の中心軸方向に向かって油溝１５３（又は２０３）を形成することによって、充分な潤滑油をカム室１３から供給することができ、カム部１４２の焼きつきを起こさずに燃料供給ポンプ１の耐久性を向上することができる。
【図面の簡単な説明】
【００４１】
【図１】本発明による一形態の燃料供給ポンプを示す断面図である。
【図２】図１における要部を示す拡大図である
【図３】図２におけるカムリングの油溝を示すＡ―Ａ矢視図である。
【図４】本発明の第２実施例におけるワッシャ部材の油溝を示す側面図である。
【図５】同正面図である。
【図６】従来の燃料供給ポンプを示す断面図である。
【符号の説明】
【００４２】
１、燃料供給ポンプ
１１、ハウジング
１１１、第１のハウジング
１１２、第２のハウジング
１１３、第３のハウジング
１２、圧力室
１３、カム室
１４、カムシャフト
１４２、カム部
１５、カムリング
１５２、端面
１５３、油溝
１６、プランジャ
１７、フィードポンプ
２０、ワッシャ部材
２０２、端面
２０３、油溝
【図１】
2005171968.tif 000003
【図２】
2005171968.tif 000004
【図３】
2005171968.tif 000005
【図４】
2005171968.tif 000006
【図５】
2005171968.tif 000007
【図６】
2005171968.tif 000008